(57)【要約】【課題】障子を備える建具において、框と端部キャップの隙間を通じて屋外側から屋内側に引っ張られた水が、枠体の止水部材を伝って屋内側に侵入する事態を確実に防止できる構成を提供すること。【解決手段】排煙窓（建具）５１は、建物の躯体の開口部に設けられる排煙枠体５２と、排煙枠体５２に開閉可能に設けられ、排煙上框５１０と排煙縦框５３０が框組みされた排煙障子５３と、排煙枠体５２側に配置され、閉鎖位置にある排煙障子５３の排煙上框５１０に当接する気密材２１ａと、排煙上框５１０の長手方向の端部に取り付けられ、排煙上框５１０の小口を塞ぐ端部キャップ７０と、を備え、気密材２１ａの排煙枠体５２側の端部２６０が端部キャップ７０よりも排煙枠体５２から離れた位置に配置され、排煙障子５３の閉鎖位置において気密材２１ａが端部キャップ７０に当接しない位置関係となっている。【選択図】図７
2018159249.tif 000002
【特許請求の範囲】
【請求項１】
建物の躯体の開口部に設けられる枠体と、
前記枠体に開閉可能に取り付けられ、横框と縦框が框組みされた障子と、
前記枠体側に配置され、閉鎖位置にある前記障子の前記横框又は前記縦框に当接する止水部材と、
前記横框又は前記縦框のうち、端部が前記枠体の見込面に対向する位置に配置される方の框の長手方向の端部に取り付けられ、前記框の小口を塞ぐ端部キャップと、
を備え、
前記止水部材の前記枠体側の端部が前記端部キャップよりも前記枠体から離れた位置に配置され、前記障子の閉鎖位置において前記止水部材が前記端部キャップに当接しない位置関係となる建具。
【請求項２】
前記端部キャップは、
前記框の小口に対向する部位に配置され、見込方向の水の流れを遮断する水遮断部を有する請求項１に記載の建具。
【請求項３】
前記水遮断部は、
前記端部キャップに形成され、前記框の中空部と外部を連通するキャップ切欠部によって構成される請求項２に記載の建具。
【請求項４】
前記水遮断部は、
前記端部キャップと前記框の間に配置されるキャップ止水部材によって構成される請求項２に記載の建具。
【請求項５】
前記枠体は、横枠と縦枠が横勝ち方式で枠組みされ、
前記障子は、前記横框と前記縦框が横勝ち方式で框組みされ、
前記端部キャップが取り付けられる前記框は前記横框である請求項１から４の何れかに記載の建具。
【発明の詳細な説明】
【技術分野】
【０００１】
本発明は、枠体に開閉可能に取り付けられる障子を備える建具に関する。
【背景技術】
【０００２】
従来、枠体に開閉可能に取り付けられる障子を備える建具において、枠体の内面を伝って屋内側への水の侵入を防止する構造を有するものが知られている。この種の技術を開示するものとして、例えば特許文献１がある。特許文献１には、上下横枠と中空構造の左右縦枠を組付けて成るサッシ枠体において、左右縦枠は中空部を屋外側と屋内側に区画した仕切り壁を有し、下横枠は屋外側部分とこれから段壁を形成してサッシ枠体の内周側に突出する屋内側部分を有し、左右縦枠と下横枠が、左右縦枠の外周側の壁を縦通しとし、左右縦枠における仕切り壁の下部を下横枠の段壁の屋外側に重合させて組付けられている構成について記載されている。
【先行技術文献】
【特許文献】
【０００３】
【特許文献１】実開平３−１０５６９４号公報
【発明の概要】
【発明が解決しようとする課題】
【０００４】
ところで、障子において、横勝ち方式や縦勝ち方式で框組みされる場合において、枠体に対向する位置に配置される框の長手方向の端部に、当該框の小口を塞ぐ端部キャップを配置することがある。この構造では、框の端面と端部キャップの間には隙間が生じるため、屋外側で框や端部キャップに付着した雨水が、毛細管現象等により、框と端部キャップの隙間を通って屋内側に引っ張られ、最終的に枠体に取り付けられる止水部材を伝って屋内に侵入するおそれがあった。
【０００５】
本発明は、障子を備える建具において、框と端部キャップの隙間を通じて屋外側から屋内側に引っ張られた水が、枠体の止水部材を伝って屋内側に侵入する事態を確実に防止できる構成を提供することを目的とする。
【課題を解決するための手段】
【０００６】
本発明は、建物の躯体の開口部に設けられる枠体（例えば、後述の排煙枠体５２、上枠２１、方立２３）と、前記枠体に開閉可能に取り付けられ、横框（例えば、後述の排煙上框５１０）と縦框（例えば、後述の排煙縦框５３０）が框組みされた障子（例えば、後述の排煙障子５３）と、前記枠体側に配置され、閉鎖位置にある前記障子の前記横框又は前記縦框に当接する止水部材（例えば、後述の気密材２１ａ）と、前記横框又は前記縦框のうち、端部が前記枠体の見込面（例えば、後述の見込面３５０）に対向する位置に配置される方の框（例えば、後述の排煙上框５１０）の長手方向の端部に取り付けられ、前記框の小口を塞ぐ端部キャップ（例えば、後述の端部キャップ７０，７７０）と、を備え、前記止水部材の前記枠体側の端部（例えば、後述の端部２６０）が前記端部キャップよりも前記枠体から離れた位置に配置され、前記障子の閉鎖位置において前記止水部材が前記端部キャップに当接しない位置関係となる建具（例えば、後述の排煙窓５１）に関する。
【０００７】
前記端部キャップは、前記框の小口に対向する部位に配置され、見込方向の水の流れを遮断する水遮断部（例えば、後述のキャップ切欠部７１２、キャップ止水部材８１１）を有することが好ましい。
【０００８】
前記水遮断部は、前記端部キャップに形成され、前記框の中空部と外部を連通するキャップ切欠部（例えば、後述のキャップ切欠部７１２）によって構成されることが好ましい。
【０００９】
前記水遮断部は、前記端部キャップと前記框の間に配置されるキャップ止水部材（例えば、後述のキャップ止水部材８１１）によって構成されることが好ましい。
【００１０】
前記枠体は、横枠（例えば、後述の上枠２１）と縦枠（例えば、後述の方立２３）が横勝ち方式で枠組みされ、前記障子は、前記横框と前記縦框が横勝ち方式で框組みされ、前記端部キャップが取り付けられる前記框は前記横框であることが好ましい。
【発明の効果】
【００１１】
本発明の建具によれば、障子を備える建具において、框と端部キャップの隙間を通じて屋外側から屋内側に引っ張られた水が、枠体の止水部材を伝って屋内側に侵入する事態を確実に防止できる。
【図面の簡単な説明】
【００１２】
【図１】本発明の一実施形態に係るサッシユニットを屋外側から見た姿図である。
【図２】排煙窓ユニット５の縦断面図であって、図１のＡ−Ａ線断面図である。
【図３】排煙窓ユニット５の縦断面図であって、図１のＢ−Ｂ線断面図である。
【図４】排煙窓ユニット５の縦断面図であって、連結部を取り付ける場合を示す図である。
【図５】排煙窓ユニット５の縦断面図であって、図１のＣ−Ｃ線断面図である。
【図６】排煙窓ユニット５の横断面図であって、図１のＤ−Ｄ線断面図である。
【図７】排煙障子が閉鎖位置にある状態で排煙上框と上枠の気密材が当接している様子を示す平面図である。
【図８】排煙障子が開放位置にある状態で排煙上框と上枠の気密材が当接していない様子を示す平面図である。
【図９】端部キャップが取り付けられた状態の排煙上框及びその周囲を示す拡大斜視図である。
【図１０】排煙上框に取り付けられた端部キャップを内側面から見た様子を模式的に示す図である。
【図１１】本実施形態の端部キャップの内側面を示す斜視図である。
【図１２】第１方立戸当たり部と無目との止水部分における構造を屋外側から見た斜視図である。
【図１３】変形例の端部キャップの外側面を示す斜視図である。
【図１４】変形例の端部キャップの内側面を示す斜視図である。
【発明を実施するための形態】
【００１３】
以下、本発明の一実施形態について、図面を参照しながら説明する。なお、本明細書において、「見付方向」とは、建物に形成された開口部に納められたサッシユニット（枠ユニット）の横枠（上枠、無目、巾木部等）の長手方向（即ち、ガラスや障子の面内方向）を意味し、「見込方向」とは、屋内外方向（即ち、奥行き方向）を意味する。
【００１４】
図１は、本発明の一実施形態に係るサッシユニットを屋外側から見た姿図である。図１に示すように、サッシユニット１は、店舗等の建築物に用いられるものであり、建築物に形成された開口に取り付けられる枠体２を備える枠ユニットである。サッシユニット１は、本発明に係る排煙窓５１を含んで構成される。
【００１５】
枠体２は、図１に示すように、上枠２１と、巾木部２２と、左右両側の縦枠（図示省略）と、方立２３と、無目２４と、を備える。枠体２は、全体としては矩形に枠組みされている。枠体２の内側の空間は、方立２３によって見付方向に複数の開口部に区画されるとともに、無目２４によって複数の開口部のそれぞれが上下方向に区画される。
【００１６】
サッシユニット１の屋外側から見て左側には、無目２４を境にして上段にＦＩＸ窓６１が納められ、下段にはＦＩＸ窓６２が納められるＦＩＸ窓ユニット６が２ユニット連続して配設される。
【００１７】
２ユニット連続して配設されたＦＩＸ窓ユニット６の右側には、無目２４を境にして上段に排煙窓５１（建具）が納められ、排煙窓５１の下側にあたる下段にはＦＩＸ窓５４が納められる排煙窓ユニット５が２ユニット連続して配設される。
【００１８】
本実施形態においては、排煙窓５１は、図１に示すように、横方向（見付方向の左右方向）に連続して複数の窓が配置された連窓のうちの少なくとも１つの窓を構成する。本実施形態においては、排煙窓５１は、横方向（見付方向における左右方向）に、２つ連続で配置されており、２つの排煙窓５１の横方向（左右方向）の両側の隣りには、ＦＩＸ窓５４が配置されている。また、排煙窓５１は、見付方向における上下方向の下段には、ＦＩＸ窓５４が配置されている。
なお、排煙窓ユニット５は、複数連続で設ける構成や単体で設ける構成等、事情に応じて適宜変更できる。
【００１９】
本実施形態の排煙窓５１は、排煙枠体５２（枠体）と、排煙枠体５２内に配置され排煙枠体５２の内周面に保持された排煙障子５３（障子）と、排煙枠体５２と排煙障子５３の下端部とを連結する連結部５６と、を備えて構成される。連結部５６は、排煙障子５３を排煙枠体５２に対して回動可能に、排煙枠体５２と排煙障子５３の下端部とを接続する。排煙枠体５２は、サッシユニット１の枠体２の一部を構成する上枠２１と、横枠としての無目２４と、左右の縦枠としての左右の方立２３と、を備えて構成される。排煙枠体５２は、全体として、四周が矩形に枠組みされて構成される。
本実施形態においては、排煙枠体５２を構成する上枠２１と、無目２４と、左右の方立２３は、長手方向に直交する方向に沿って切断されて形成されている。言い換えると、排煙枠体５２を構成する上枠２１と、無目２４と、左右の方立２３は、長手方向に延びる面と長手方向に直交する端面とが直角になるように切断された、いわゆる、ぶつ切り加工が施されている。
【００２０】
排煙窓５１において、排煙枠体５２内に配置される排煙障子５３は、下端部の回動軸Ｊ（図２及び図３参照）を中心に回動可能である。排煙障子５３は、後述する回動軸部（框側軸部としての円弧軸片５２４ｂ、枠側軸部としての軸受円弧状部２４３ｄ）を中心に、排煙枠体５２の内側に配置される閉位置と、排煙枠体５２の外側に配置される開位置と、の位置に回動可能に構成される。排煙窓５１は、排煙障子５３の下端部において回動軸Ｊを中心に回動して、排煙障子５３の上端部が屋外側に倒れるように構成されている。
【００２１】
図２は、排煙窓ユニット５の縦断面図であって、図１のＡ−Ａ線断面図である。図３は、排煙窓ユニット５の縦断面図であって、図１のＢ−Ｂ線断面図である。図４は、排煙窓ユニット５の縦断面図であって、連結部５６を取り付ける場合を示す図である。図５は、排煙窓ユニット５の縦断面図であって、図１のＣ−Ｃ線断面図である。図２〜図５において、紙面左側が屋外側であり、右側が屋内側である。図６は、排煙窓ユニット５の横断面図であって、図１のＤ−Ｄ線断面図である。図６において、紙面上側が屋内側であり、下側が屋外側である。
【００２２】
図２に示すように、上枠２１は、屋内側に配置される上枠本体部２１１と、上枠本体部２１１から下方に延びる上枠延在片２１２と、上枠本体部２１１の屋外側に配置される上枠中間部２１３と、上枠中間部２１３から更に屋外側に延設される上枠延設部２１４と、を備える。
【００２３】
上枠本体部２１１は、中空部を備えるホロー構造である。
上枠延在片２１２は、上枠本体部２１１の屋外側の下端部から下方に延びる。上枠延在片２１２の下端部には、屋外側に開放する嵌合部２１２ａが形成される。嵌合部２１２ａには、排煙障子５３が閉鎖位置に位置する場合において、排煙障子５３の屋内側の上端部の側面を押圧する気密材２１ａが嵌合される。上枠延在片２１２の屋内側の側面には、係止機構５５が固定される。係止機構５５は排煙窓５１の排煙障子５３を閉鎖位置で固定するためのものである。
【００２４】
上枠中間部２１３は、中空部を備えるホロー構造である。上枠中間部２１３は、内側に形成されかつ上枠２１の長手方向に延びる溝部２１３ａを備える。溝部２１３ａは、上枠本体部２１１の内側上部の屋内側の角に配置される。溝部２１３ａは、見付方向の方立２３側から方立２３を連結するためのビス（図示省略）が差し込まれるネジ受けとなる。上枠中間部２１３は、その下面が上枠本体部２１１の下面よりも上方に配置される。
【００２５】
上枠延設部２１４は、中空部を備えるホロー構造である。上枠延設部２１４は、内側に形成されかつ上枠２１の長手方向に延びる溝部２１４ａと、外側に形成され下方に開放する嵌合部２１４ｂと、を備える。
【００２６】
溝部２１４ａは、上枠延設部２１４の内側における屋内側の上部に配置される。溝部２１４ａは、見付方向の方立２３側から方立２３を連結するためのビス（図示省略）が差し込まれるネジ受けとなる。上枠延設部２１４は、その下面が上枠中間部２１３の下面よりも下方に配置される。
【００２７】
嵌合部２１４ｂは、上枠延設部２１４の外側における屋外側の下部に配置される。嵌合部２１４ｂには、排煙障子５３が閉鎖位置に位置する場合において、排煙障子５３の屋外側の上端部を上方側から接する気密材２１ｂが嵌合される。
【００２８】
上枠本体部２１１の下部の屋外側、上枠延在片２１２の屋外側、上枠中間部２１３の下方、及び、上枠延設部２１４の下方の空間には、閉鎖位置にあるときの排煙障子５３の上部が収容される。
【００２９】
排煙障子５３は、図２に示すように、排煙框体５００と、排煙ガラス５１ａと、錠受け部材５４０と、を備える。排煙框体５００は、図１に示すように、排煙ガラス５１ａの上端を保持する排煙上框５１０と、排煙ガラス５１ａの下端を保持する排煙下框５２０と、排煙ガラス５１ａの左右の端部を保持する左右の排煙縦框５３０と、を備える。
本実施形態においては、排煙上框５１０、排煙下框５２０及び左右の排煙縦框５３０は、長手方向に直交する方向に沿って切断されて形成されている。言い換えると、排煙上框５１０、排煙下框５２０及び左右の排煙縦框５３０は、長手方向に延びる面と長手方向に直交する端面とが直角になるように切断された、いわゆる、ぶつ切り加工が施されている。
【００３０】
本実施形態においては、図１に示すように、左右の排煙縦框５３０を排煙上框５１０及び排煙下框５２０の間に配置することで、排煙上框５１０及び排煙下框５２０を、左右の排煙縦框５３０で支えている。排煙上框５１０及び排煙下框５２０の左右方向の外側の端部の位置は、左右の排煙縦框５３０の左右方向の外側の端部の位置と一致する。換言すると、排煙框体５００は、横方向に延びる排煙上框５１０及び排煙下框５２０の両端部において、排煙上框５１０と排煙下框５２０との間に左右の排煙縦框５３０が配置された「横通し」、いわゆる「横勝ち」の構造を有する。つまり、本実施形態においては、排煙上框５１０及び排煙下框５２０は、横通しとなっている。
【００３１】
本実施形態においては、排煙上框５１０及び排煙下框５２０を横通し、いわゆる「横勝ち」の構造とすることで、排煙ガラス５１ａの飲み込み溝であるガラス溝５１１ａ、５２１ａ（後述）を排煙上框５１０及び排煙下框５２０に設けて、排煙ガラス５１ａの上端部及び下端部をガラス溝５１１ａ、５２１ａに配置して、排煙ガラス５１ａの上端部及び下端部をガラス溝５１１ａ、５２１ａにより保持する構造としている。
【００３２】
排煙上框５１０は、図２に示すように、屋外側に配置されかつ下方側から上方側に窪むガラス溝５１１ａを有する排煙上框本体部５１１と、排煙上框本体部５１１から屋内側に延設される排煙上框延設部５１２と、を備える。排煙窓５１が閉鎖位置にあるときは、排煙上框本体部５１１及び排煙上框延設部５１２は、上枠中間部２１３の下方及び上枠延設部２１４の下方の空間に収容される状態となる。
【００３３】
排煙上框本体部５１１のガラス溝５１１ａは、排煙ガラス５１ａの上端部を保持する。
排煙上框延設部５１２は、中空部を備えるホロー構造である。排煙上框延設部５１２の屋内側の側面には、排煙窓５１が閉鎖位置にあるときに、上枠２１の嵌合部２１２ａに嵌合して配置された気密材２１ａが当接する。
【００３４】
錠受け部材５４０は、排煙上框延設部５１２の屋内側の下面に、ビス５４１により固定されている。錠受け部材５４０は、排煙上框延設部５１２から屋内側に延出するように形成される。錠受け部材５４０は、排煙窓５１が閉鎖位置にあるときに、係止機構５５の下部の係止部５５１に係止される。錠受け部材５４０を係止機構５５に係止するための機構としては、例えばラッチ機構を用いることができる。
【００３５】
排煙窓５１は、錠受け部材５４０が係止機構５５に係止されることにより、閉鎖位置で固定される。排煙窓５１を閉鎖位置から開放位置に移動させるときは、上述の錠受け部材５４０と係止機構５５の係止を解除する。
【００３６】
排煙下框５２０は、図２及び図３に示すように、屋外側に配置されかつ上方側から下方側に窪むガラス溝５２１ａを有する排煙下框本体部５２１と、排煙下框本体部５２１から屋内側に延設される排煙下框延設部５２２と、排煙下框本体部５２１の屋外側の下部から下方に延出する下框屋外側部分５２３（屋外側部分）と、下框屋外側部分５２３の下端部から屋内側に延出して形成される回動軸構成片５２４と、下框屋外側部分５２３の下端部から下方に延出する遮蔽部としての下框遮蔽部５２５と、を備える。
【００３７】
排煙下框本体部５２１のガラス溝５２１ａは、排煙ガラス５１ａの下端部を保持する。
排煙下框延設部５２２は、中空部を備えるホロー構造である。排煙下框延設部５２２の屋内側の側面には、排煙窓５１が閉鎖位置にあるときには、後述する無目２４の嵌合部２４２ａに嵌合して配置された乾式の気密材２４ａが当接する。排煙下框延設部５２２の下部には、段部としての段差凹部５２２ａが設けられている。
【００３８】
段差凹部５２２ａは、図３に示すように、排煙下框５２０の排煙下框延設部５２２の下部の屋内側において、下方側から上方側に窪むように形成される。段差凹部５２２ａは、無目２４の無目本体部２４１の上面の上方に配置される。
【００３９】
段差凹部５２２ａは、図３に示すように、下段水平部５２２ｂと、傾斜部５２２ｃと、上段水平部５２２ｄと、を有する。下段水平部５２２ｂ、傾斜部５２２ｃ及び上段水平部５２２ｄは、屋外側から屋内側に向けてこの順に並んで配置されている。下段水平部５２２ｂは、排煙下框延設部５２２の底部を構成し、水平方向に延びる。傾斜部５２２ｃは、下段水平部５２２ｂの屋内側の端部に接続され、屋外側から屋内側に向かうにしたがって上方側に向かうように傾斜する。上段水平部５２２ｄは、傾斜部５２２ｃの屋内側の端部に接続され、下段水平部５２２ｂよりも上方の位置において水平方向に延びる。排煙下框５２０の下部に上方に窪む段差凹部５２２ａを設けることで、無目２４と排煙下框５２０との間において、排煙下框５２０の下方に位置する無目２４の無目本体部２４１の上面を流れる水の許容量を増加させることができる。
【００４０】
下框屋外側部分５２３は、図３に示すように、排煙下框本体部５２１の屋外側の端部の下部から下方に延出し、上下方向に延びる。下框屋外側部分５２３は、無目２４における軸受円弧状部２４３ｄ（後述）が配置される見付面２４ｂ（後述）よりも屋外側に配置される部分である。本実施形態においては、無目２４を排煙下框５２０の下框屋外側部分５２３よりも屋内側に配置している。これにより、排煙障子５３の回動軸部（框側軸部としての円弧軸片５２４ｂ、枠側軸部としての軸受円弧状部２４３ｄ）（後述）を設けるスペースを設けて、見付方向における上下の幅を小さくできる。
下框屋外側部分５２３の屋外側の面は、排煙下框本体部５２１の屋外側の面と同一平面上に位置する。
【００４１】
回動軸構成片５２４は、図３に示すように、Ｌ字状のＬ字状屈曲片５２４ａと、回動軸部を構成する框側軸部としての円弧軸片５２４ｂと、を有する。
Ｌ字状屈曲片５２４ａは、下框屋外側部分５２３の下端部に接続され、下框屋外側部分５２３の下端部から屋内側に所定長さ延び、屋内側の端部から下方に屈曲して、下方側に所定長さ延びる。
円弧軸片５２４ｂは、排煙下框５２０の屋外側に配置される。円弧軸片５２４ｂは、Ｌ字状屈曲片５２４ａの下端部から、屋内側が開放する半円弧状の略Ｃ字形状に形成される。円弧軸片５２４ｂは、略Ｃ字形状の円弧の内部の中空部分に設けられた回動軸Ｊを中心に回動可能である。円弧軸片５２４ｂは、排煙障子５３の回動中心であり、排煙障子５３は、回動軸Ｊを中心に回動する。
【００４２】
円弧軸片５２４ｂを含む回動軸構成片５２４の回動範囲には、回動軸構成片５２４が回動可能なように、空間が設けられている。図３に示すように、回動軸構成片５２４の先端側には、無目ガラス保持部２４３の軸受円弧状部２４３ｄ（後述）の上部の屋内側に、先端側回動空間５２６が形成されている。円弧軸片５２４ｂの基端部側には、無目ガラス保持部２４３の軸受円弧状部２４３ｄ（後述）の上部の屋外側に、基端側回動空間５２７が形成されている。
【００４３】
下框遮蔽部５２５は、回動軸構成片５２４の円弧軸片５２４ｂよりも屋外側において、下框屋外側部分５２３の下端部に接続され、下框屋外側部分５２３の下端部から、下方に所定長さ延びる。下框遮蔽部５２５は、上下方向において、排煙枠体５２の無目２４と重なる位置に配置される。言い換えると、下框遮蔽部５２５は、見込方向において、排煙枠体５２の無目２４と並んで配置される。下框遮蔽部５２５は、屋外側から見た場合に、円弧軸片５２４ｂが屋外側から視認できないように、円弧軸片５２４ｂを遮蔽する。下框遮蔽部５２５は、上下方向に延び、下框遮蔽部５２５の屋外側の面は、下框屋外側部分５２３及び排煙下框本体部５２１の屋外側の面と同一平面上に位置する。
【００４４】
排煙ガラス５１ａの上端部及び下端部の保持について説明する。図２に示すように、排煙ガラス５１ａは、ガラス溝５２１ａの内部に配置される支持部材５１ｂによって下から支持される。排煙ガラス５１ａの下端部は、ガラス溝５２１ａ内において、屋外側に配置されるバックアップ材５１ｃと屋内側に配置されるバックアップ材５１ｄとによって挟まれる。更に、バックアップ材５１ｃの上方には、シール材５１ｅが塗工される。バックアップ材５１ｄの上方には、シール材５１ｆが塗工される。
【００４５】
排煙ガラス５１ａの上端部は、ガラス溝５１１ａ内において、屋外側に配置されるバックアップ材５１ｇと屋内側に配置されるバックアップ材５１ｈとによって挟まれる。更に、バックアップ材５１ｇの下方には、シール材５１ｉが塗工される。バックアップ材５１ｈの下方には、シール材５１ｊが塗工される。
【００４６】
無目２４は、図２及び図３に示すように、屋内側に配置されかつ中空部を備えるホロー構造である無目本体部２４１と、無目本体部２４１の屋内側の端部の上部から上方に延びる無目延在片２４２と、無目本体部２４１の屋外側に形成される無目ガラス保持部２４３と、を備える。
【００４７】
無目本体部２４１は、内側に形成されかつ無目２４の長手方向に延びる溝部２４１ａ，２４１ｂを備える。溝部２４１ａは、無目本体部２４１の内側上部の屋内側の角に配置され、溝部２４１ｂは、無目本体部２４１の内側下部の屋内側の角に配置される。溝部２４１ａ，２４１ｂは、いずれも見付方向の方立２３側から方立２３を連結するためのビス（図示省略）が差し込まれるネジ受けとなる。
【００４８】
無目延在片２４２は、無目２４の屋内側の端部の上端部から上方に延びる。無目延在片２４２の上端部には、屋外側に開放する嵌合部２４２ａが形成される。嵌合部２４２ａは、無目２４の段部２５０を構成する部分の屋外側の見付面において、見付方向の左右方向に延びて形成される。嵌合部２４２ａには、排煙障子５３が閉鎖位置に位置する場合において、排煙障子５３の屋内側の下端部の側面を押圧する乾式の気密材２４ａが嵌合される。気密材２４ａは、嵌合部２４２ａに嵌合されることで、無目２４の段部２５０の段部側対向側面２５２の反対側において、無目２４の屋外側の見付面に保持される。
【００４９】
気密材２４ａは、図６に示すように、所定長さ見付方向に延びて配置される。気密材２４ａの両端部２４６の見付方向の位置は、無目２４の両端部２４５の位置よりも内側に位置する。つまり、気密材２４ａは、無目２４の長手方向の長さよりも短く形成され、第１方立部材３１の第１方立本体部３１１の内側の面及び第２方立部材３２の第２方立本体部３２１の内側の面よりも内側に配置される。
【００５０】
そのため、例えば、雨水が排煙下框５２０に載った場合であっても、気密材２４ａを無目２４の長手方向の長さよりも短く形成しているため、気密材２４ａが配置されていない部分において、雨水を屋外側に落下させることができる。これにより、気密材２４ａを無目２４の長手方向の長さよりも短く形成することで、排煙下框５２０に載った雨水を、屋内側へ誘導しないように構成される。
【００５１】
無目ガラス保持部２４３は、無目本体部２４１の屋外側の上端から屋外側に延設される。無目延在片２４２と無目本体部２４１とによってＦＩＸ窓５４を構成するガラス５４ａの上端部を保持するガラス溝２４３ａが形成される。なお、ＦＩＸ窓５４を構成するガラス５４ａの下端部を保持する巾木部２２（図１参照）の構成の説明は省略する。
【００５２】
無目ガラス保持部２４３は、下方側及び屋内側が開放する略Ｌ字状に形成される。無目ガラス保持部２４３は、内側に形成されかつ無目２４の長手方向に延びる溝部２４３ｂが形成される。溝部２４３ｂは、無目ガラス保持部２４３の内側の下部に配置される。溝部２４３ｂは、見付方向の方立２３側から方立２３を連結するためのビス（図示省略）が差し込まれるネジ受けとなる。
【００５３】
無目ガラス保持部２４３は、図３に示すように、無目側Ｌ字状部２４３ｃと、回動軸部を構成する枠側軸部としての軸受円弧状部２４３ｄと、を有する。
無目側Ｌ字状部２４３ｃは、無目本体部２４１の屋外側の上端部から屋外側に所定長さ延び、屋外側の端部から下方に屈曲して、下方側に所定長さ延びる。無目側Ｌ字状部２４３ｃの上面には、係止溝２４３ｅが形成される。
軸受円弧状部２４３ｄは、無目２４の見付面２４ｂに配置される。軸受円弧状部２４３ｄは、無目側Ｌ字状部２４３ｃの下端部に形成され、上方側が開放する略半円弧状に形成される。軸受円弧状部２４３ｄには、連結部５６の突出軸部５６３（後述）が係合された円弧軸片５２４ｂが配置される。
【００５４】
連結部５６は、無目２４の軸受円弧状部２４３ｄに対して排煙障子５３の排煙下框５２０の円弧軸片５２４ｂを回動可能に、無目２４の軸受円弧状部２４３ｄと排煙障子５３の排煙下框５２０の円弧軸片５２４ｂとを連結する。連結部５６は、無目２４の長手方向に沿って延びて形成され、無目２４の長手方向に沿って、複数個並んで配置される。本実施形態においては、連結部５６は、図１に示すように、無目２４の長手方向に沿って、間隔を開けて、３つ並んで配置されている。なお、無目２４の長手方向の両端部において、連結部５６が設けられていない箇所には、端部キャップ（図示省略）が設けられている。
【００５５】
連結部５６、無目２４及び排煙下框５２０の構成は、無目２４の長手方向において、連結部５６が設けられている部分と、連結部５６が設けられていない部分と、において構成が異なる。
【００５６】
まず、連結部５６が設けられている部分の構成について説明する。図３に示すように、連結部５６が設けられている部分においては、連結部５６が配置され、前述の無目２４の軸受円弧状部２４３ｄ及び排煙下框５２０の回動軸構成片５２４が設けられている。
連結部５６は、連結側Ｌ字状部５６１と、係止部５６２と、突出軸部５６３と、を有する。連結側Ｌ字状部５６１は、水平連結部５６１ｂと、垂直連結部５６１ａと、を有する。水平連結部５６１ｂは、水平方向に延びる。垂直連結部５６１ａは、水平連結部５６１ｂの屋外側の端部から下方に延びる。
【００５７】
水平連結部５６１ｂは、無目２４の無目ガラス保持部２４３の無目側Ｌ字状部２４３ｃの上面に沿って配置される。垂直連結部５６１ａは、無目２４の無目ガラス保持部２４３の無目側Ｌ字状部２４３ｃの屋外側の側面に沿って配置される。連結部５６は、水平連結部５６１ｂが無目側Ｌ字状部２４３ｃの上面に沿うとともに、垂直連結部５６１ａが無目側Ｌ字状部２４３ｃの屋外側の側面に沿った状態で、ビス５７で固定されている。
【００５８】
突出軸部５６３は、連結側Ｌ字状部５６１の垂直連結部５６１ａの下端部において、屋外側の斜め下方に突出する。突出軸部５６３は、無目２４の長手方向に延びる略円柱状に形成される。突出軸部５６３は、排煙下框５２０の回動軸構成片５２４の円弧軸片５２４ｂに係合する。
【００５９】
次に、排煙下框５２０を無目２４に仮固定した状態で、連結部５６を、排煙下框５２０と無目２４とに跨るように配置する。具体的には、連結部５６の突出軸部５６３を排煙下框５２０の回動軸構成片５２４の円弧軸片５２４ｂに係合させた状態で、無目２４の軸受円弧状部２４３ｄに収容して、連結部５６の突出軸部５６３を無目２４の係止溝２４３ｅに係止させる。言い換えると、連結部５６を用いて無目２４と排煙障子５３とを接続する場合には、排煙障子５３の開位置において、無目２４の軸受円弧状部２４３ｄに対して回動軸構成片５２４の円弧軸片５２４ｂを回動可能に、無目２４の軸受円弧状部２４３ｄと回動軸構成片５２４の円弧軸片５２４ｂとを連結部５６により連結する。
【００６０】
続けて、ドライバー１００を用いて、ビス５７により、上方から連結部５６と無目２４とをネジ固定する。この状態においては、無目２４の軸受円弧状部２４３ｄに回動軸構成片５２４の円弧軸片５２４ｂを係止させるだけで、排煙下框５２０の円弧軸片５２４ｂを先端側の上面と基端側の下面から支持しているため、作業者が排煙下框５２０を支える必要がなく、作業者は一人で連結部５６と無目２４とを固定できる。ここで、ビス５７の固定位置において、無目２４の下方には、ビス５７を受けるための裏板２４４が配置される。裏板２４４は、所定の長さのピース状に形成され、ビス５７でネジ固定する部分のみに配置される。裏板２４４は、排煙ガラス５１ａが排煙框体５００に嵌め込まれていない状態において、無目２４の形材の側方から一対の爪部２４３ｈ，２４３ｈの上方を通して差し込まれる。裏板２４４は、ビス５７の固定位置に設置された後は、一対の爪部２４３ｈ，２４３ｈにカシメ加工を施すことで固定される。
この状態で、ドライバー１００を用いて、連結部５６の上方からビス５７を、連結部５６、無目２４、裏板２４４の順にネジ込む。このようにして、上方から、ビス５７により、連結部５６と無目２４とをネジ固定する。
よって、連結部５６により、軸受円弧状部２４３ｄと円弧軸片５２４ｂとを連結することで、排煙窓５１を排煙枠体５２に容易に取り付けることができるため、排煙窓５１の施工性を向上できる。
【００６１】
この場合に、排煙下框５２０の下部には、上方に窪む段差凹部５２２ａが形成される。排煙下框５２０の下部に段差凹部５２２ａが形成されているため、ドライバー１００の移動範囲において、排煙窓５１の施工時において、排煙下框５２０が、ドライバー１００の移動を妨げることがない。これにより、ドライバー１００を用いて、ビス５７により連結部５６を容易に固定して、排煙障子５３を、無目２４に容易に固定することができる。
【００６２】
また、段差凹部５２２ａが形成されているため、施工済みの排煙窓５１に対して、連結部５６を固定したビス５７を容易に取り外すこともできる。このように、施工済みの排煙窓５１において、段差凹部５２２ａにより、ビス５７の取り付け及び取り外しを容易に行えるため、排煙障子５３の交換を容易に行うことができる。
【００６３】
次に、連結部５６が設けられていない部分の構成について説明する。図１に示すように見付方向に並べられた３つの連結部５６の間には、図５に示すように、無目２４の軸受円弧状部２４３ｄも、排煙下框５２０の円弧軸片５２４ｂも、設けられていない。このように構成されることで、無目２４と排煙下框５２０との間には、連結部５６も、無目２４の軸受円弧状部２４３ｄも、排煙下框５２０の円弧軸片５２４ｂも、設けない空間を形成することができる。無目２４と排煙下框５２０との間に空間を形成することで、雨水等の浸入した水を排水するための流路を確保することができる。これにより、水を排出する排水性を向上することができる。また、無目２４と排煙下框５２０との間の空間に外気を導入できるため、内圧と外圧とを近づけることで、水が内部に吸い込まれることが抑制されて、より水密性を向上できる。
【００６４】
ＦＩＸ窓５４を構成するＦＩＸガラス５４ａの保持について説明する。ＦＩＸガラス５４ａは、図１に示すように、巾木部２２のガラス溝（図示省略）の内部に配置される支持部材（図示省略）によって下から支持される。ＦＩＸガラス５４ａの下端部は、ガラス溝内において、屋外側及び屋内側に配置されるバックアップ材（図示省略）に挟まれ、シール材（図示省略）が塗工される。
【００６５】
ＦＩＸガラス５４ａの上端部は、図２及び図３に示すように、無目２４のガラス溝２４３ａ内において、屋外側に配置されるバックアップ材５４ｂと屋内側に配置されるバックアップ材５４ｃとによって挟まれる。更に、バックアップ材５４ｂの下方には、シール材５４ｄが塗工される。バックアップ材５４ｃの下方には、シール材５４ｅが塗工される。
【００６６】
方立２３は、図６に示すように、屋外側から見て、左側に配置される第１方立部材２３１と、右側に配置される第２方立部材２３２と、を備える。
【００６７】
第１方立部材２３１は、屋内側に配置される第１方立本体部３１１と、第１方立本体部３１１から屋外側に延設される方立延在部３１２と、方立延在部３１２から屋外側に延設される第１方立屋外側部３１３と、を備える。
【００６８】
第１方立本体部３１１は、中空部を備えるホロー構造である。第１方立本体部３１１の右側（排煙障子５３が設けられる側）の側面には、第１方立戸当たり部３１５（戸当たり部材）が固定される。つまり、第１方立戸当たり部３１５は、排煙枠体５２の内周面である第１方立本体部３１１の右側（排煙障子５３が設けられる側）の側面に固定されている。
【００６９】
第１方立戸当たり部３１５の周辺の構成について説明する。  第１方立戸当たり部３１５は、図６に示すように、上下方向に見た場合における断面視で、屋外側及び方立２３とは反対側が開放する略Ｌ字状に形成される。第１方立戸当たり部３１５は、排煙障子５３が屋内側に倒れないように規制するように、排煙障子５３の屋内側において、第１方立本体部３１１から右側に延出するように形成されている。
【００７０】
第１方立戸当たり部３１５は、見込方向に延びる見込延在部３１６と、見込延在部３１６の見込方向の屋内側の端部から右側に延びる見付延在部３１７と、見付延在部３１７の右側の端部から屋内側に延びる第１見込片４１と、第１見込片４１よりも左側において見付延在部３１７の屋外側の面から第１見込片４１と平行に屋内側に延びる第２見込片４２と、を備える。第１方立戸当たり部３１５の見付延在部３１７及び第１見込片４１は、上下方向に見た場合に、断面Ｌ字形状のＬ字形状部分を構成する。
【００７１】
見込延在部３１６は、第１方立本体部３１１の右側の側面に、ネジ部材３１８により、接続されている。見込延在部３１６と第１方立本体部３１１の右側の側面との間には、乾式のシール材３１６ａが配置されている。シール材３１６ａは、第１方立部材３１の長手方向に連続して上下方向に延びて配置される。
【００７２】
見付延在部３１７は、排煙障子５３の屋内側において、第１方立本体部３１１から見付方向の右側に延びる。見付延在部３１７は、排煙障子５３の屋内側の障子屋内側見付面５３ａに対向して配置される。
第１見込片４１及び第２見込片４２は、図６に示すように、排煙枠体５２の内周面である第１方立本体部３１１の右側の側面に対向して配置され、見付延在部３１７の屋外側の面から見込方向の屋外側に延びる。
【００７３】
第１見込片４１及び第２見込片４２の屋外側の先端には、図６に示すように、嵌合部３１７ａが形成される。嵌合部３１７ａは、第１方立戸当たり部３１５の右側の先端において、屋外側に開放するように形成されている。嵌合部３１７ａは、互いが近づく側に突出する突出片４１ａ，４２ａを有する。第１見込片４１及び第２見込片４２は、屋外側の先端の間に気密材２３１ａを配置可能な距離だけ、見付方向に離間して配置されている。第１見込片４１及び第２見込片４２の間には、嵌合部３１７ａに嵌合した場合における気密材２３１ａの基端部側の部分が配置される。なお、本実施形態においては、気密材２３１ａを嵌合するための嵌合部３１７ａを設けるために、２つの第１見込片４１及び第２見込片４２を、所定距離離間させて設けた。しかし、これに限定されず、例えば、１つの第１見込片４１のみを設ける構成であってもよい。
【００７４】
嵌合部３１７ａには、図６に示すように、排煙障子５３が閉鎖位置に位置する場合において、排煙障子５３の屋内側の側面を押圧する乾式の気密材２３１ａが嵌合される。気密材２３１ａは、見付方向における上下方向に延びるように配置されている。気密材２３１ａは、排煙障子５３が閉鎖位置に位置する場合に、排煙障子５３の屋内側の障子屋内側見付面５３ａと当接して、排煙障子５３と第１方立戸当たり部３１５とを止水する。
【００７５】
第１見込片４１及び第２見込片４２の長手方向の下端部には、それぞれ、切り欠き部４００が形成される。切り欠き部４００は、排煙窓５１の排煙枠体５２の無目２４の屋内側の上端部に形成される段部２５０を避けるように、屋外側及び下方側が開放するＬ字形状に切り欠かれて形成され、段部２５０に対向して配置される。
【００７６】
段部２５０と切り欠き部４００との間には、乾式のシール部材４５０が配置される。シール部材４５０は、見付方向に延びるシート状に形成され、見付方向に見た場合に、断面Ｌ字形状に形成される。
【００７７】
方立延在部３１２は、第１方立本体部３１１の左側の端部から屋外側に直線状に延びる。方立延在部３１２の右側には、右側から左側に窪むガラス収容溝３１２ａが形成される。ガラス収容溝３１２ａは、方立２３に、ＦＩＸガラスを直接取り付ける場合に使用される。換言すると、方立２３は、ガラスを直接取り付ける場合と、障子を取り付ける場合との両方に使用できるように構成されている。本実施形態の排煙窓５１においては、ガラス収容溝３１２ａは使用されないため、ガラス収容溝３１２ａは、カバー部材３１４により閉止される。
【００７８】
第１方立屋外側部３１３は、方立延在部３１２の屋外側の端部から、屋外側に延びる。第１方立屋外側部３１３は、中空部を備えるホロー構造である。第１方立屋外側部３１３の右側の側面には、排煙障子５３が閉鎖位置に位置する場合において、左縦框６１１の嵌合部６１２ｃに嵌合して配置された気密材２３１ｂが当接する。
【００７９】
第１方立本体部３１１の右側の側面、カバー部材３１４の右側の側面及び第１方立屋外側部３１３の右側の側面は、見込方向に延びて形成され、同一平面上に位置する。
【００８０】
第２方立部材２３２は、第２方立本体部３２１と、第２方立本体部３２１の屋外側に延設される見付延在部３２２と、見付延在部３２２の屋外側に延設される第２方立屋外側部３２３と、を備える。また、第２方立部材２３２には、第２方立戸当たり部３２５（戸当たり部材）が固定される。
【００８１】
第２方立部材２３２及び第２方立戸当たり部３２５は、第１方立部材２３１及び第２方立戸当たり部３２５と左右対称で同一の構成である。そのため、第２方立部材２３２及び第２方立戸当たり部３２５の説明は、第１方立部材２３１及び第１方立戸当たり部３１５に対応する符号を付けて、その説明を省略する。
【００８２】
第１方立部材２３１と第２方立部材２３２との間に配置される排煙障子５３について説明する。図６に示すように、排煙障子５３は、見付方向において、左右の排煙縦框５３０により、排煙ガラス５１ａの左右の両端部が保持される。
【００８３】
排煙縦框５３０は、図６に示すように、屋外側から見て、左側に配置される左縦框６１１と、右側に配置される右縦框６２１と、を備える。左縦框６１１及び右縦框６２１は、排煙ガラス５１ａの左右の端部を保持する。
【００８４】
左縦框６１１は、屋外側に配置されるＬ字状の左縦框本体６１２と、左縦框本体６１２の屋内側に設けられる第１中間部６１３と、第１中間部６１３の屋内側に設けられる第２中間部６１４と、第２中間部６１４の更に屋内側に設けられる屋内側端部６１５と、を有する。
【００８５】
左縦框本体６１２は、屋外側及び方立２３と反対側（右側）が開放するＬ字状のＬ字状部分を構成する。左縦框本体６１２の開放する側には、排煙ガラス５１ａの左右方向の端部が配置される。左縦框本体６１２の開放する側は、排煙ガラス５１ａの左右方向の端部が配置されるガラス溝を構成する。左縦框本体６１２は、見付延在部６１２ａと、見込延在部６１２ｂと、嵌合部６１２ｃと、を有する。見付延在部６１２ａ及び見込延在部６１２ｂは、連続して形成され、Ｌ字状に形成される。見付延在部６１２ａは、見付方向の水平方向に延びる。見込延在部６１２ｂは、見付延在部６１２ａの第１方立部材２３１側（排煙障子５３の外側）の端部から、屋外側に延びる。
【００８６】
嵌合部６１２ｃは、左縦框本体６１２の見込延在部６１２ｂの屋外側の端部において、排煙障子５３の左右方向の左側に開放する。嵌合部６１２ｃには、排煙障子５３が閉鎖位置に位置する場合において、排煙障子５３の左右方向の左側において、排煙障子５３の屋内側の端部に接する気密材２３１ｂが嵌合される。
【００８７】
左縦框本体６１２の見込延在部６１２ｂの右側の面には、係止突起ホルダ６１２ｄが形成される。係止突起ホルダ６１２ｄは、見込延在部６１２ｂの右側の面から右側に突出する。
【００８８】
第１中間部６１３は、Ｌ字状の左縦框本体６１２の屋内側の面側に配置され、中空部を備えるホロー構造である。第１中間部６１３は、内側に形成されかつ排煙縦框５３０の長手方向に延びる溝部６１３ａを備える。溝部６１３ａは、第１中間部６１３の屋内側の左側の角に配置される。溝部６１３ａは、見付方向の排煙上框５１０側から排煙上框５１０を連結するためのビス（図示省略）、又は、見付方向の排煙下框５２０側から排煙下框５２０を連結するためのビス（図示省略）が差し込まれるネジ受けとなる。なお、本実施形態においては、排煙上框５１０及び排煙下框５２０が横通し（横勝ち）の構造であるため、排煙上框５１０の上方側からビスがねじ込まれ、排煙下框５２０の下方側からビスがねじ込まれる。
【００８９】
第２中間部６１４は、第１中間部６１３の屋内側の面側に配置され、中空部を備えるホロー構造である。
【００９０】
屋内側端部６１５は、第２中間部６１４の屋内側に配置され、方立２３側が開放する形状に形成される。屋内側端部６１５は、内側に形成されかつ排煙縦框５３０の長手方向に延びる溝部６１５ａを備える。溝部６１５ａは、屋内側端部６１５の屋外側に配置される。溝部６１５ａは、見付方向の排煙上框５１０側から排煙上框５１０を連結するためのビス（図示省略）、又は、見付方向の排煙下框５２０側から排煙下框５２０を連結するためのビス（図示省略）が差し込まれるネジ受けとなる。なお、本実施形態においては、排煙上框５１０及び排煙下框５２０が横通し（横勝ち）の構造であるため、排煙上框５１０の上方側からビスがねじ込まれ、排煙下框５２０の下方側からビスがねじ込まれる。
屋内側端部６１５の屋内側の面には、排煙障子５３が閉鎖位置に位置する場合において、第１方立戸当たり部３１５の嵌合部３１７ａに嵌合して配置された気密材２３１ａが当接する。
【００９１】
右縦框６２１は、左縦框６１１と左右対称で同一の構成である。そのため、右縦框６２１の説明は、左縦框６１１に対応する符号を付けて、その説明を省略する。
【００９２】
排煙ガラス５１ａの左右方向の端部の保持について説明する。排煙ガラス５１ａは、図６に示すように、左右方向の左側の端部において、Ｌ字状の左縦框本体６１２の開放側に配置されたＬ字状バックアップ材６１ａにより、排煙ガラス５１ａの端面５０１及び屋内側の側面５０２が支持される。
【００９３】
Ｌ字状バックアップ材６１ａは、Ｌ字状に形成される。Ｌ字状バックアップ材６１ａは、見付延在バックアップ部６１ｂと、見込延在バックアップ部６１ｃと、を有する。
【００９４】
見付延在バックアップ部６１ｂは、見付方向の水平方向に延びる。見付延在バックアップ部６１ｂは、Ｌ字状の左縦框本体６１２の見付延在部６１２ａの屋外側を向く面に取り付けられる。見付延在バックアップ部６１ｂの屋外側の面は、排煙ガラス５１ａの端部の屋内側の側面５０２（屋内側の面）に当接する。
【００９５】
見込延在バックアップ部６１ｃは、見付延在バックアップ部６１ｂの第１方立部材２３１側（排煙障子５３の外側）の端部から、見込方向の屋外側に延びる。見込延在バックアップ部６１ｃは、Ｌ字状の左縦框本体６１２の見込延在部６１２ｂの排煙障子５３の内側（右側）を向く面に取り付けられる。見込延在バックアップ部６１ｃの排煙障子５３の内側（右側）の面は、排煙ガラス５１ａの端部の見込方向に延びる端面５０１に当接する。
【００９６】
排煙ガラス５１ａの左右方向の左側の端部は、端面５０１及び屋外側の側面５０２に配置されるＬ字状バックアップ材６１ａに当接して支持された状態で、屋内側に配置されるＬ字状バックアップ材６１ａと屋外側に塗工される被覆部材６１ｅとによって挟まれる。被覆部材６１ｅは、排煙ガラス５１ａの屋外側の側面５０３（屋外側の面）に配置される。更に、Ｌ字状バックアップ材６１ａにおける排煙ガラス５１ａの左右方向の内側には、シール材６１ｄが塗工される。ここで、排煙ガラス５１ａの端面５０１には、Ｌ字状バックアップ材６１ａが配置されているため、シール材が当接しない。そのため、シール材が当接することがないため、シール材の破損が低減され、排煙ガラス５１ａを排煙框体５００に施工する際の施工性が良好となる。
【００９７】
本実施形態においては、被覆部材６１ｅは、気密性及び水密性を有する材料により形成される。本実施形態においては、排煙ガラス５１ａは、上下方向において、上端部が排煙上框５１０のガラス溝５１１ａに飲み込まれて配置され、下端部が排煙下框５２０のガラス溝５２１ａに飲み込まれて配置されることで、保持されている。そのため、排煙ガラス５１ａの横方向（見付方向の左右方向）の端部を固定するのではなく、排煙ガラス５１ａの端部における気密性及び水密性を確保する。これにより、被覆部材６１ｅは、排煙ガラス５１ａの端部において、排煙ガラス５１ａの端部の端面５０１から排煙ガラス５１ａの内側の最低限の部分を覆うように配置される。これにより、排煙ガラス５１ａが屋外側に向けて露出する面積（開口する面積）を大きくすることができる。排煙ガラス５１ａを大きく見せることができるため、意匠性を向上できる。
【００９８】
排煙ガラス５１ａの左右方向の右側の端部の保持については、排煙ガラス５１ａの左右方向の左側の端部の保持の構成と、左右対称で同一の構成である。そのため、排煙ガラス５１ａの左右方向の右側の端部の保持の構成の説明は、排煙ガラス５１ａの左右方向の左側の端部の保持の構成に対応する符号を付けて、その説明を省略する。
【００９９】
次に、排煙上框５１０の左右方向の端部に配置される端部キャップ７０について説明する。図７は、排煙障子５３が閉鎖位置にある状態で排煙上框５１０と上枠２１の気密材２１ａが当接している様子を示す平面図である。図８は、排煙障子５３が開放位置にある状態で排煙上框５１０と上枠２１の気密材２１ａが当接していない様子を示す平面図である。
【０１００】
図７に示すように、方立２３の見込面に対向する排煙上框５１０には、当該排煙上框５１０の中空部を外部から隔てて小口を塞ぐ端部キャップ７０が取り付けられる。閉鎖位置（図７に示す状態）から排煙障子５３が図８に示す開放位置に移動すると、排煙上框５１０が気密材２１ａから離間した状態となる。
【０１０１】
本実施形態の端部キャップ７０は、排煙障子５３が閉鎖位置にある状態においても気密材２１ａに当接しないレイアウトになっている。より具体的には、気密材２１ａの端部２６０が、左右方向で端部キャップ７０よりも方立２３の見込面３５０から離れた位置になるように、気密材２１ａの長さ及び取付位置が設定されている。
【０１０２】
図９は、端部キャップ７０が取り付けられた状態の排煙上框５１０及びその周囲を示す拡大斜視図である。図１０は、排煙上框５１０に取り付けられた端部キャップ７０を内側面から見た様子を模式的に示す図である。図１１は、本実施形態の端部キャップ７０の内側面を示す斜視図である。
【０１０３】
図９〜図１１に示すように、端部キャップ７０は、屋外側に位置する屋外側板状部７１０と、屋内側に位置する屋内側板状部７２０と、が樹脂により一体的な部材として成形される。
【０１０４】
屋外側板状部７１０は、排煙上框本体部５１１の形状に対応する部分である。屋外側板状部７１０により、排煙上框本体部５１１の小口部分が塞がれる。屋外側板状部７１０の内側面には、排煙上框本体部５１１側に突出する屋外側嵌合部７１１が形成される。この屋外側嵌合部７１１が排煙上框本体部５１１の内側に嵌まり込むことにより、端部キャップ７０の見込方向の屋外側が排煙上框５１０に固定される。
【０１０５】
屋外側板状部７１０にはキャップ切欠部７１２が形成される。キャップ切欠部７１２は屋外側板状部７１０の上端面から下方に切り欠かれた形状となっている。このキャップ切欠部７１２は、排煙上框本体部５１１（排煙上框５１０）の中空部が外部と連通する位置まで切り欠かれている。
【０１０６】
屋外側板状部７１０の外側面には、気密材２３１ｂの上端部を係合するための切欠き状の係合部７１５が形成される。左縦框６１１の嵌合部６１２ｃに嵌合された気密材２３１ｂの上端部が係合部７１５に固定される。
【０１０７】
屋内側板状部７２０は、排煙上框延設部５１２の形状に対応する部分である。屋内側板状部７２０により、排煙上框延設部５１２の小口部分が塞がれる。屋内側板状部７２０の内側面には、排煙上框延設部５１２側に突出する屋内側嵌合部７２１が形成される。この屋内側嵌合部７２１が排煙上框延設部５１２の内側に嵌まり込むことにより、端部キャップ７０の見込方向の屋内側が排煙上框５１０に固定される。
【０１０８】
屋内側板状部７２０における屋外側板状部７１０の近傍には貫通孔７２６が形成される。この貫通孔７２６によっても、排煙上框延設部５１２の中空部が外部と連通している。屋内側板状部７２０の内側面には、貫通孔７２６を見込方向で跨ぐにように形成される円弧状部７２５が形成される。この円弧状部７２５も、端部キャップ７０が排煙上框５１０に嵌合されている状態では、排煙上框５１０の中空部に位置する状態となる。
【０１０９】
屋内側で排煙上框５１０に付着した雨水が端部キャップ７０と排煙上框５１０の隙間に入り込み、毛細管現象や気圧差（屋内側の圧力が屋外側よりも低くなる状態）により、端部キャップ７０と排煙上框５１０の隙間で屋外側から屋内側に引き込まれる吸引力が作用したとする（図７及び図１０の経路７５）。このような場合でも、端部キャップ７０と排煙上框５１０の隙間で水は屋外側から屋内側に進もうとするが、その経路途中に配置されるキャップ切欠部７１２により、屋内側板状部７２０（屋内側）に至ることなく落下することになる。仮に、水が端部キャップ７０の見込方向の屋内側端部まで到達したとしても、上述のように、端部キャップ７０が気密材２１ａに当接する構成ではないので、端部キャップ７０と排煙上框５１０の隙間から気密材２１ａを伝って屋内側に水が漏れ出すこともない。
【０１１０】
上述の通り、排煙上框５１０の下方には排煙下框５２０が配置される。図１２は、第１方立戸当たり部３１５と無目２４との止水部分における構造を屋外側から見た斜視図である。図１２に示すように、排煙下框５２０に当接する無目２４の気密材２４ａについても、上枠２１の気密材２１ａと同様のレイアウトになっている。これにより、端部キャップ７０の屋内側端部で落下した水についても、気密材２４ａを伝って屋内側に漏水する事態を確実に回避できる構造となっている。
【０１１１】
なお、排煙上框５１０の左右方向の一側（左側）の端部に配置される端部キャップ７０について説明してきたが、他側（右側）にも同様の構成の端部キャップ７０が配置されている。そして、この他側に配置される端部キャップ７０についても、気密材２１ａの他側の端部２６０に接触しない構成になっている。
【０１１２】
以上説明してきたように、本実施形態によれば、以下の効果が奏される。
排煙窓（建具）５１は、建物の躯体の開口部に設けられる排煙枠体５２と、排煙枠体５２に開閉可能に設けられ、排煙上框（横框）５１０と排煙縦框（縦框）５２０が框組みされた排煙障子（障子）５３と、排煙枠体５２側に配置され、閉鎖位置にある排煙障子５３の排煙上框５１０に当接する気密材（止水部材）２１ａと、排煙上框５１０の長手方向の端部に取り付けられ、排煙上框５１０の小口を塞ぐ端部キャップ７０と、を備え、気密材２１ａの排煙枠体５２側の端部２６０が端部キャップ７０よりも排煙枠体５２から離れた位置に配置され、排煙障子５３の閉鎖位置において気密材２１ａが端部キャップ７０に当接しない位置関係となっている。
【０１１３】
これにより、毛細管現象や気圧差等により、排煙上框５１０と端部キャップ７０の隙間（結合面）を通じて屋外側から屋内側に水が引っ張られたとしても、端部キャップ７０と気密材２１ａが接触していないので、気密材２１ａを伝って屋内側に漏水することがない。
【０１１４】
また、本実施形態の端部キャップ７０は、排煙上框５１０の小口に対向する部位に配置され、見込方向の水の流れを遮断する水遮断部としてのキャップ切欠部７１２を有する。
【０１１５】
これにより、排煙上框５１０と端部キャップ７０の隙間を屋外側から屋内側に移動しようとする水があっても、キャップ切欠部７１２によりその移動が妨げられる。屋内側への漏水を防ぐ上記気密材２１ａの配置と併せて多重的に屋内側への漏水を防止することができる。
【０１１６】
また、本実施形態の端部キャップ７０のキャップ切欠部７１２は、端部キャップ７０に形成され、排煙上框５１０の中空部を外側と連通するように構成される。
【０１１７】
これにより、排煙上框５１０の中空部が外部と連通させるキャップ切欠部７１２により、水の経路７５が部分的に途切れることになるので、毛細管現象や気圧差等により水が屋外側から屋内側に進もうとしても屋内側に到達することなく落下したり、その場所に留まったりすることになる。端部キャップ７０に切欠きを形成するというシンプルな構成で雨水の屋内側への侵入をより確実に防止できる構成を実現できる。
【０１１８】
また、本実施形態の排煙枠体５２は、上枠２１と方立（縦枠）２３が横勝ち方式で枠組みされ、排煙障子５３は、排煙上框５１０と排煙縦框５３０が横勝ち方式で框組みされ、端部キャップ７０が取り付けられる框は排煙上框５１０である。
【０１１９】
これにより、気密材２１ａが横方向に延びているため、気密材２１ａを伝って屋内側に水が移動し易くなる横勝ち方式においても、重力を利用して気密材２１ａに到達しなかった水を排煙枠体５２の内側に落下させることができ、屋内側への水の侵入を確実に防止することができる。
【０１２０】
以上、本発明の排煙窓５１の好ましい一実施形態について説明したが、本発明は、上述の実施形態に制限されるものではなく、適宜変更が可能である。
【０１２１】
上記実施形態では、端部キャップ７０の水遮断部がキャップ切欠部７１２によって構成されているが、この構成に限定されない。次に、上記実施形態とは異なる構成の端部キャップ７７０の変形例について説明する。なお、以下の説明において上記実施形態と同様の構成については同じ符号を付してその説明を省略する場合がある。
【０１２２】
図１３は、変形例の端部キャップ７７０の外側面を示す斜視図である。図１４は、変形例の端部キャップ７７０の内側面を示す斜視図である。図１３及び図１４に示すように、変形例の端部キャップ７７０は、上記実施形態の端部キャップ７０のキャップ切欠部７１２が省略されており、雨水遮断部としてキャップ止水部材８１１が配置される点が異なっている。
【０１２３】
キャップ止水部材８１１は、矩形の板状に形成されており、上記実施形態の気密材と同様の材料によって構成される乾式シール部材である。キャップ止水部材８１１は、屋外側板状部７１０の内側面に固定されており、排煙上框５１０に端部キャップ７７０が嵌め込まれた状態では、排煙上框５１０と屋外側板状部７１０の内側面との隙間を埋めるように弾性変形する。
【０１２４】
以上説明してきたように、本変形例によれば、以下の効果が奏される。
端部キャップ７７０が有する水遮断部は、端部キャップ７７０と排煙上框５１０の間に配置されるキャップ止水部材８１１によって構成される。
【０１２５】
本変形例によっても、毛細管現象や気圧差等により水が屋外側から屋内側に進もうとしてもキャップ止水部材８１１によってそれ以上の屋内側への移動が妨げられ、屋内側に到達することなく下方に落下することになる。
【０１２６】
上記実施形態及び変形例は、更に以下のように変更することもできる。上記実施形態及び変形例では、排煙上框５１０に雨水遮断部を有する端部キャップ７０，７７０が配置される構成であるが、排煙下框５２０にも同様の構成の雨水遮断部を有する端部キャップを配置する構成としてもよい。
【０１２７】
また、上記実施形態及び変形例では、排煙枠体５２が横勝ち方式で枠組みされるとともに排煙障子５３が横勝ち方式で框組みされる構成であるが、この構成に限定されない。排煙枠体（枠体）５２が縦勝ち方式で枠組みされるとともに排煙障子（障子）５３が縦勝ち方式で框組みされる構成にも適用することができる。この場合では、排煙枠体の縦枠に止水部材が設けられ、端部キャップが取り付けられる框が縦框となり、当該縦框に取り付けられる端部キャップが止水部材に当接しないレイアウトになる。この構成によっても、端部キャップと框の隙間を屋内側に引っ張られた水が止水部材を伝って屋内側に漏れ出す事態を防止することができる。
【０１２８】
また、上記実施形態及び変形例では、サッシユニット１において、上下に２つの窓（排煙窓５１、ＦＩＸ窓５４）を２段に連続して配置した場合について説明したが、これに限定されない。例えば、上下に窓を連続して配置しなくてもよく、１段の排煙窓で構成してもよい。また、複数の窓を上下に複数の窓を３段以上連続して配置してもよい。
【符号の説明】
【０１２９】
２１…上枠（横枠）
２３…方立（縦枠）
２１ａ…気密材（止水部材）
５１…排煙窓（建具）
５２…排煙枠体（枠体）
５３…排煙障子（障子）
７０，７７０…端部キャップ
５１０…排煙上框（横框、框）
５３０…排煙縦框（縦框）
７１２…キャップ切欠部（水遮断部）
８１１…キャップ止水部材（水遮断部）
【図１】
2018159249.tif 000003
【図２】
2018159249.tif 000004
【図３】
2018159249.tif 000005
【図４】
2018159249.tif 000006
【図５】
2018159249.tif 000007
【図６】
2018159249.tif 000008
【図７】
2018159249.tif 000009
【図８】
2018159249.tif 000010
【図９】
2018159249.tif 000011
【図１０】
2018159249.tif 000012
【図１１】
2018159249.tif 000013
【図１２】
2018159249.tif 000014
【図１３】
2018159249.tif 000015
【図１４】
2018159249.tif 000016